(57)【要約】【課題】ファクシミリ受信しているとき、特に大量のデータを受信中であっても、ステープル装置を占有する時間を極力少なくできる通信端末装置を提供する。【解決手段】制御部１は、一ファクシミリ受信ジョブの一通信単位完了するごとに、ファクシミリ受信した画像データの記録紙への印字を開始して、ステープル処理をさせる。【選択図】図１
2005117386.tif 000002
【特許請求の範囲】
【請求項１】
ファクシミリ通信手段と、ステープル装置と、印字出力部と、ファクシミリ受信した原稿を印字出力した記録紙をステープルするように制御する制御部とを備えた通信端末装置において、
上記制御部は、ファクシミリ受信ジョブを一通信単位で完了するごとに、ファクシミリ受信した画像データの記録紙への印字を開始して、ステープル処理をさせることを特徴とする通信端末装置。
【請求項２】
請求項１において、
上記ファクシミリ通信手段は、複数の通信回線に対応して設けられていることを特徴とする通信端末装置。
【請求項３】
請求項１または２において、
一通信単位でファクシミリ受信した画像データに対して、ステープルモードを選択した際、更に、受信した画像データの各ページを記録紙に順次印字出力してステープル装置に搬送する処理と、受信した全てのページの画像データのメモリへの蓄積を完了させた後、記録紙に印字し、その後に、ステープル装置に搬送する処理とのいずれかを選択可能とする操作手段を更に備えている通信端末装置。
【請求項４】
請求項１〜３において、
コピー機能及び外部出力機能をさらに備えている通信端末装置。
【発明の詳細な説明】
【技術分野】
【０００１】
本発明は、ステープル機能を備えた通信端末装置の改良に関する。
【背景技術】
【０００２】
近時、特許文献１に示すような通信端末装置が広く使用されている。このものは、ステープル機能を備えており、１通信あたりの原稿画像を１ページずつファクシミリ受信するごとに、これを記録紙に印字し、すべてのページの印字が完了すれば、ステープル装置が作動して、ステープル止めしている。
【特許文献１】特開平９−２７３０号公報
【発明の開示】
【発明が解決しようとする課題】
【０００３】
ところが、上記した従来の通信端末装置では、ファクシミリ受信を開始したら、ステープル装置を受信中ずっと占有するため、ファクシミリ受信中に他のコピージョブなどでステープルをしたい場合、待ちが発生し、作業効率が悪かった。
【０００４】
また、ファクシミリ受信中ステープル装置を占有しているため、途中でステープル針が切れた場合やステープル装置が故障した場合でも、針の補充やステープル装置の修理ができず不便であった。
本発明は、上記事情を考慮して提案されるものであり、ファクシミリ受信しているとき、特に大量のデータを受信中であっても、ステープル装置を占有する時間を極力少なくできる通信端末装置を提供することを目的としている。
【課題を解決するための手段】
【０００５】
上記目的を達成するために提案される請求項１では、制御部は、ファクシミリ受信ジョブを一通信単位で完了するごとに、ファクシミリ受信した画像データの記録紙への印字を開始して、ステープル処理をさせることを特徴とする。
請求項２では、ファクシミリ通信手段は、複数の通信回線に対応して設けられていることを特徴とする。
【０００６】
請求項３では、一通信単位でファクシミリ受信した画像データに対して、ステープルモードを選択した際、更に、受信した画像データの各ページを記録紙に順次印字出力してステープル装置に搬送する処理と、受信した全てのページの画像データのメモリへの蓄積を完了させた後、記録紙に印字し、その後に、ステープル装置に搬送する処理とのいずれかを選択可能とする操作手段を更に備えている。
【０００７】
請求項４では、コピー機能及び外部出力機能をさらに備えている。
【発明の効果】
【０００８】
本発明の請求項１〜４に記載の通信端末装置によれば、制御部は、１回のファクシミリ受信ジョブの通信完了後に、受信原稿の印字を開始して、ステープル処理をさせるので、ファクシミリ受信しているとき、特に大量のデータを受信中であっても、ステープル装置を占有する時間を極力少なくでき、ファクシミリ受信中に他のコピージョブなどでステープル処理させたいときに、待ち時間を要することなくそれが実行できる。また、
途中でステープル針が切れた場合やステープル装置が故障した場合でも、針の補充やステープル装置の修理ができ、利便にできる。
【０００９】
特に、請求項２では、ファクシミリ通信手段は複数回線に対応して設けられているため、１回線が塞がっていても、他の回線を使用したファクシミリ通信ができ利便である。
【００１０】
また、請求項３では、リアルタイム処理モード、一括処理モードの選択を、ユーザの所望により、一通信単位のファクシミリ受信毎に行える。更に、請求項４では、コピー機能及び外部出力機能を備えるため、通信端末装置の拡張性が増す。
【発明を実施するための最良の形態】
【００１１】
以下に、本発明の実施の形態について説明する。
【実施例１】
【００１２】
本発明の実施例１を以下図面とともに説明する。図１は、本発明の通信端末装置の要部構成の一例を示す図である。
【００１３】
なお、ここでは通信端末装置の例としてファクシミリ装置Ｆを示しているが、本発明はこの例に限られず、ステープル機能、ファクシミリ受信機能、印字記録機能を兼ね備える装置であれば何を用いてもよい。
【００１４】
このファクシミリ装置Ｆは、以下の各部を制御し、ＣＰＵなどで構成される制御部１と、電話回線Ｌ１に対する接続制御をするＮＣＵ２と、ファクシミリ通信に必要な各種信号の変復調をするモデム３と、このファクシミリ装置Ｆが動作するための各種プログラムなどを記憶するＲＯＭ４と、短縮ダイヤルなどを記憶するＲＡＭ５と、原稿を読み取り画像データを形成するスキャナ６と、画像データを格納する画像メモリ７と、液晶画面などで構成される表示部８と、各種操作キーなどで構成される操作部９と、画像データをセットされた記録紙に印字記録するプリンタ１０と、ＬＡＮ（Ｎ２）にこのファクシミリ装置Ｆを接続するためのＬＡＮインタフェース１１と、ステープル装置１２とを備える。
【００１５】
ステープル装置１２は、後述するステープルモードで作動するようになっており、このモードは、操作部９での選択操作で指示する。ステープルモードが指定されると、ファクシミリ受信原稿を所定枚数の束止めするが、指定されないと通常モードにてファクシミリ受信原稿を束止めせずにトレイに排出する。
【００１６】
また、ステープルモードに指定すると、リアルタイム処理モード、一括処理モードかの選択操作が操作部９により行える。この選択操作は、ステープルモードが指定されると図３に示すような選択画面が表示され、ボタンＢ１、Ｂ２のいずれかを操作すると、リアルタイム処理モードか一括処理モードかの選択が確定される。
なお、リアルタイム処理モードとは、ファクシミリ受信を原稿１ページあたりする毎に、記録紙に順次印字出力してステープル装置に搬送する処理をいい、一括処理モードとは、受信した全てのページの画像データのメモリへの蓄積を完了させた後、記録紙に印字してから、ステープル装置に搬送する処理をいう。
【００１７】
また、ステープルモード指定は、コピー処理の場合は、コピージョブ毎にすることができる。すなわち、コピー処理を指示してからステープルモードで行うか否かの指定を行う。
【００１８】
なお、このファクシミリ装置Ｆは、電話回線Ｌ１を１つを接続する１回線対応となっているが、ＮＣＵ２を複数個設けて、２回線対応としてもよい。こうすると、１回線がファクシミリ通信で塞がっていても、他方の回線でファクシミリ通信をすることができる。
【００１９】
このような構成のファクシミリ装置Ｆの特徴的な処理について、図２とともに説明する。図２は、ファクシミリ受信したときの処理ステップを示すフローチャートである。
【００２０】
すなわち、ファクシミリ受信が開始されたときには（１００）、設定がステープルモードであるか否かの判定をする（１０１）。ステープルモードの設定であれば、続けて、リアルタイム処理モードか一括処理モードのいずれが選択されているかを判定する（１０２）。
【００２１】
リアルタイム処理モードであれば、原稿１ページあたりの画像データを受信するごとに印字してステープル装置１２に搬送する（１０３）。一括処理モードであれば、全データを画像メモリ７に格納してから、順次読み出して印字してゆき、印字のすんだ記録紙をステープル装置１２に送る（１０４，１０５）。
【００２２】
一方、ステープルモードが指定されていなければ、一枚ずつ印字するか、受信原稿をすべて画像メモリ７に格納してから印字出力を開始し、ステープル処理をせずに排出トレーに排出する（１０６）。
【００２３】
なお、このファクシミリ装置Ｆでは、プリンタ１０を内蔵した構成となっているが、プリンタ１０を外付けにして、上記フローチャートの作用を持たせるようにしてもよい。
【図面の簡単な説明】
【００２４】
【図１】本発明の要部構成の一例を示す図
【図２】本発明の基本動作について説明するためのフローチャート
【図３】リアルタイム処理モードか一括処理モードかの選択をする選択画面の一例を示す図である。
【符号の説明】
【００２５】
Ｆ・・・ファクシミリ装置
１・・・制御部
９・・・操作部
１０・・・プリンタ
１２・・・ステープル装置
【図１】
2005117386.tif 000003
【図２】
2005117386.tif 000004
【図３】
2005117386.tif 000005